(57)【要約】【課題】コントロール基板の共有化を図ることができる配線基板及びこれを備えた表示装置を提供すること。【解決手段】入力画像データに応じた画像を表示する表示パネル３の周縁部に配設される配線基板２０に、入力画像データに対応する階調電圧の作成に用いられる基準階調電圧を得るための抵抗分圧回路２２を設けることにより、コントロール基板１４の共有化を図ることが可能になり、コントロール基板の種類が削減される。【選択図】図４
2008145526.tif 000002
【特許請求の範囲】
【請求項１】
入力画像データに応じた画像を表示する表示パネルの周縁部に配設される配線基板に、前記入力画像データに対応する階調電圧の作成に用いられる基準階調電圧を得るための抵抗分圧回路が設けられていることを特徴とする配線基板。
【請求項２】
更に、前記抵抗分圧回路の出力側に接続されるバッファアンプが設けられていることを特徴とする請求項１に記載の配線基板。
【請求項３】
前記バッファアンプが集積回路からなることを特徴とする請求項２に記載の配線基板。
【請求項４】
請求項１から３のいずれかに記載の配線基板を備えてなることを特徴とする表示装置。
【請求項５】
前記配線基板が前記表示パネルのソース電極側の周縁部に配設されていることを特徴とする請求項４に記載の表示装置。
【発明の詳細な説明】
【技術分野】
【０００１】
本発明は、表示パネルの周縁部に配設される配線基板に関する。
【背景技術】
【０００２】
近年、コンピュータやテレビなどの家電製品の表示部として液晶表示装置が用いられている。この液晶表示装置を動作させるために、液晶表示パネル上の電極と駆動回路（ドライバＩＣ）の接続、更に、駆動回路を制御する回路や電源などの他の回路が実装されたプリント回路基板（ＰＣＢ）の接続が行われている。
【０００３】
図７に示すように、液晶表示パネル７０には、ソースドライバＩＣ７１がＣＯＦ（chip on film）方式で実装されたフレキシブルプリント基板（ＦＰＣ）が複数接続されている。また、これらソースドライバＩＣ７１にはプリント配線基板７２が接続されている。そして、プリント配線基板７２は、ＦＰＣからなるケーブル７３を介してコントロール基板（駆動制御回路）７４に接続されている。
【０００４】
図８は、図７に示したコントロール基板７４と液晶表示パネル７０との接続の回路構成を模式的に示した図である。図示されるように、コントロール基板７４には、基準階調電圧発生部７５が設けられている。この基準階調電圧発生部７５により、ソースドライバＩＣ７１に基準階調電圧が供給される。基準階調電圧は、画像データの階調レベルに応じて適宜設定された液晶表示パネル７０への印加電圧である。一般的に、この基準階調電圧は、画像データの階調レベルと光透過率の関係が、例えばガンマ２．２の曲線となるように設定される。
【０００５】
基準階調電圧として設定されるのは、例えば最大表示階調を８等分した基準階調の電圧である。この場合、図示される基準階調電圧発生部７５は、８本の抵抗７６ａ〜７６ｈが直列に接続された抵抗分圧回路７６によって定電圧ＶＬＳを８分割し、それぞれの分割した電圧をバッファアンプ７７ａ〜７７ｈにより低インピーダンス化して出力している。残りの階調電圧は隣接した基準階調電圧を分割することにより生成される。通常、ソースドライバＩＣ７１に内蔵される抵抗分圧回路により全表示階調電圧が設定される。
【０００６】
【特許文献１】特開２００５−２２１５２７号公報
【発明の開示】
【発明が解決しようとする課題】
【０００７】
上述したように、ソースドライバＩＣ７１には、基準階調電圧を入力する必要があるが、この基準階調電圧を作成する抵抗分圧回路７６は、コントロール基板７４に設けられている。一般的に、画面サイズが異なっていても、表示画面の解像度が同じであれば、コントロール基板による駆動制御は同じ構成になるが、ガンマ曲線が異なれば、抵抗分圧回路も異なってしまい、その結果、抵抗分圧回路の部分だけが異なるコントロール基板が多数存在することになっていた。
【０００８】
そこで、本発明が解決する課題は、コントロール基板の共有化を図ることができる配線基板及びこれを備えた表示装置を提供することである。
【課題を解決するための手段】
【０００９】
本発明者は種々なる検討の結果、表示パネルの周縁部に配設される配線基板は、表示画面サイズ毎にサイズが異なるということに着目して、本発明を着想するに至った。そこで、上記課題を解決するため、本発明に係る配線基板は、入力画像データに応じた画像を表示する表示パネルの周縁部に配設される配線基板に、前記入力画像データに対応する階調電圧の作成に用いられる基準階調電圧を得るための抵抗分圧回路が設けられていることを要旨とするものである。
【００１０】
この場合、更に、前記抵抗分圧回路の出力側に接続されるバッファアンプが設けられている構成にすると良い。また、前記バッファアンプが集積回路からなる構成にする良い。
【００１１】
そして、このような配線基板を備えてなる表示装置として構成すると良い。この場合、配線基板が前記表示パネルのソース電極側の周縁部に配設されている構成にすると良い。
【発明の効果】
【００１２】
上記構成を有する配線基板によれば、基準階調電圧を得るための抵抗分圧回路が設けられていることにより、コントロール基板の共有化を図ることが可能になる。コントロール基板の種類を削減できれば、部材管理など生産管理等においてコストダウンが容易になる。
【００１３】
この場合、更に前記抵抗分圧回路の出力側に接続されるバッファアンプが設けられている構成にすれば、コントロール基板の構成がより簡素になり、更なる共有化を図ることができる。また、前記バッファアンプが集積回路からなる構成にすれば、バッファアンプに要するスペースを削減することができるので、配線基板の構成を簡素にすることができる。
【発明を実施するための最良の形態】
【００１４】
以下に、本発明の係る配線基板及び表示装置の一実施の形態ついて、図面を参照して詳細に説明する。図１は、本発明の一実施形態に係る表示装置の構造の要部を模式的に示したものである。
【００１５】
図１に示される液晶表示装置１は、ベゼル２、表示パネル３、及び照明装置４を備える。ベゼル２は表示パネル３の額縁となる部材で、表示パネル３は、２枚のガラスを貼り合わせてその間に液晶を封止したものである。
【００１６】
照明装置４は、フレーム５、光学シート類６、ランプ７、反射板８、シャーシ９、サイドホルダー１０、インバータ基板１１とから構成される。フレーム５は、額縁形状を有しており、光学シート類６をシャーシ９及びサイドホルダー１０の載置面に固定するためのものである。光学シート類６は、ランプ７から表示パネル３に入射する光の特性を調整するためのもので、例えば、下から順に拡散板、拡散シート、レンズシート、偏光反射シート等から構成される。
【００１７】
ランプ７は、線状の光源で、端部にランプコネクタ１２が装着されている。このランプ７の下側に布設される反射板８は、ランプ７から発せられる光を表示パネル３側に反射させるためのものである。シャーシ９とサイドホルダー１０は、ランプ７を複数並列に収容するランプ収容部を形成するための部材である。この場合、シャーシ９は、金属製板材の板金加工により略箱形状に形成されたもので、ランプ収容部の底部と長辺側の側壁部を構成する。サイドホルダー１０は、白色の樹脂製部材で、同じくランプ収容部の短辺側の側壁部を構成している。
【００１８】
また、シャーシ９の裏面には、電源供給ユニットとして、ランプ７を駆動する高圧交流電圧を発生させるインバータ基板１１が設けられている。このインバータ基板１１によりランプ７は、高電圧が印加されて駆動されるようになっている。また、表示パネル３を制御するコントロール基板１４もシャーシ９裏面に設けられている。尚、インバータ基板１１とコントロール基板１４は、それぞれインバータ基板カバー１１ａ及びコントロール基板カバー１４ａに覆われている。
【００１９】
図２は表示パネル３の概略構成を示した図である。表示パネル３は、ガラス基板からなるアレイ基板３２と対向基板３３とが液晶を介して所定の間隔で対向して設けられている。また、対向基板３３にはほぼ全面に図示しない共通電極が形成されている。
【００２０】
アレイ基板３２には、垂直方向に延ばされ平行に配設された複数の画素信号線Ｓと、水平方向に延ばされ平行に配設された走査線Ｇとが互いに交差するように設けられている。また、これら両配線でマトリクス状に区切られた画素領域には画素電極３４がそれぞれ形成されている。そして、両配線の交差部近傍にはスイッチング素子としての薄膜トランジスタ３５が配置されている。
【００２１】
また、薄膜トランジスタ３５のソース電極は画素信号線Ｓに接続され、薄膜トランジスタ３５のゲート電極は走査線Ｇに接続されている。そして、ドレイン電極は補助容量３６と液晶３７に面した画素電極３４に接続されている。
【００２２】
画素信号線Ｓは、ソースドライバＩＣ（画素信号線駆動回路）３８に接続され、走査線ＧはゲートドライバＩＣ（走査線駆動回路）３９に接続されている。ソースドライバＩＣ３８及びゲートドライバＩＣ３９は、コントロール基板１４に接続されて、各々制御される。ソースドライバＩＣ３８にはコントロール基板１４により表示画面の表示信号が供給され、ゲートドライバＩＣ３９にはコントロール基板１４により走査信号が走査方向４０に従って供給される。
【００２３】
映像信号の制御は次のように行われる。画像表示信号、垂直・水平同期信号及び電源電圧からなる外部データ信号をコントロール基板１４に入力し、垂直・水平同期信号を基にして、ソースドライバＩＣ３８にデータを取り込むためのクロック信号や走査線Ｇを切り換えるためのクロック信号を生成する。
【００２４】
ソースドライバＩＣ３８は、スタートパルスの立ち上がりと同時にシフトレジスタの動作を開始し、クロックにより動作を行う。クロックと同時に入力されるデータをシフトレジスタによって選択されたサンプリングメモリに格納し、１水平ライン全ての表示データが送られると、コントロール基板１４からラッチパルスを出力する。ソースドライバＩＣ３８がラッチパルスを受け取ると、ホールドメモリがサンプリングメモリに格納されているデータを一括してラッチする。ラッチされたデータはＤ／Ａ変換して画素信号線Ｓに出力し、走査線Ｇの１本にオン電圧を加えることにより、薄膜トランジスタ３５の横１行を全部をオン状態にする。これにより、データ１ライン分が表示される。このような動作を同様に繰り返しながら走査線Ｇに対して上下方向に走査して全ラインを駆動する。
【００２５】
次に図３及び図４を用いて本発明に係る配線基板について説明する。図３に示すように、上述した表示パネル３には、ソースドライバＩＣ３８がＣＯＦ（chip on film）方式で実装されたフレキシブルプリント基板（ＦＰＣ）が複数接続されている。また、これらソースドライバＩＣ３８にはプリント配線基板（ＰＷＢ）２０が接続されている。そして、プリント配線基板２０は、ＦＰＣからなるケーブル２１を介してコントロール基板（駆動制御回路）１４に接続されている。
【００２６】
プリント配線基板２０は、細長い形状、例えば図示されるような長方形に形成されており、表示パネル３の周縁部に沿うように配設される。プリント配線基板２０の表面や内部の層には複数の電気配線が長手方向に沿って設けられている。図示されるように、一枚のプリント配線基板２０に対して複数のソースドライバＩＣ３８が接続され、接続された各ソースドライバＩＣ３８に対して所定の電気信号や電力を分配できるようになっている。このプリント配線基板２０の長手方向の寸法は、表示パネル３のサイズに応じて設定されている。
【００２７】
図４は、図３に示したコントロール基板１４と液晶表示パネル３との接続における回路構成を模式的に示した図である。図示されるように、プリント配線基板２０には、基準階調電圧発生部としての抵抗分圧回路２２が備えられている。この場合、８本の抵抗Ｒ１〜Ｒ８が直列に接続された抵抗分圧回路２２によって定電圧ＶＬＳが８分割され、それぞれ分割された電圧を、ケーブル２１を介してコントロール基板１４に戻し、バッファアンプ２３ａ〜２３ｈにより低インピーダンス化してから再びプリント配線基板２０に戻す構成になっている。このような構成にすることにより、コントロール基板１４の構成が簡素になり共有化を図ることが容易になる。
【００２８】
従来技術では、基準階調電圧発生部としての抵抗分圧回路がコントロール基板に設けられていたことから、抵抗分圧回路の各抵抗値が異なるだけのコントロール基板が複数存在することになってしまって、コントロール基板の共有化を図ることが困難であった。上述した本発明に係る配線基板によれば、この問題が解決されるので、コントロール基板の共有化を図ることが可能になる。
【００２９】
図５は、図４に示したコントロール基板１４と液晶表示パネル３との接続における回路構成の変形例を示した図である。図４の回路構成と同じように、プリント配線基板２０に、基準階調電圧発生部としての抵抗分圧回路２２が備えられており、更に、バッファアンプ２３ａ〜２３ｈが備えられている。この場合、８本の抵抗Ｒ１〜Ｒ８が直列に接続された抵抗分圧回路２２によって定電圧ＶＬＳが８分割され、それぞれ分割された電圧をバッファアンプ２３ａ〜２３ｈによって低インピーダンス化してからソースドライバＩＣ３８に出力するようになっている。このように、バッファアンプ２３ａ〜２３ｈもプリント配線基板２０に備えさせることにより、更にコントロール基板１４の共有化を図ることが容易になる。尚、バッファアンプ２３ａ〜２３ｈとして集積回路（ＩＣ）化したものを用いれば、スペース効率が良くなり、プリント配線基板２０の大型化を防ぐことができる。
【００３０】
次に、上述した表示装置を備えるテレビ受信装置について簡単に説明する。図６は上述した実施形態に係る表示装置１を備えるテレビ受信装置の構成の一例を模式的に示した分解斜視図である。このテレビ受信装置５０は、受信した電波や入力された外部からの入力信号に基づいて所定のチャンネルの映像信号と音声信号を生成するチューナ５２と、チューナ５２が生成した映像信号に基づいて映像を表示する表示装置１と、チューナ５２が生成した音声信号に基づいて音声を発する拡声手段５４と、これらチューナ５２、表示装置１、拡声手段５４に対して電力を供給する電源基板５３とを備える。
【００３１】
チューナ５２には、従来一般の地上波（アナログ、デジタルのいずれか又は双方）チューナ、ＢＳチューナ、ＣＳチューナなどが適用でき、拡声手段５４には、一般的なスピーカなど、従来一般の拡声手段が適用される。また、表示装置１は、上述した実施形態に係る表示装置が適用される。
【００３２】
そして、図示されるように、これら表示装置１、チューナ５２、拡声手段５４、電源基板５３は、表側キャビネット５１ａと裏側キャビネット５１ｂにより構成される筐体に収納され、さらにスタンド５５により支持される。このような構成のテレビ受信装置５０に上述した実施形態に係る表示装置１を組み込むことができる。
【００３３】
以上、本発明の実施形態について説明したが、本発明はこうした実施形態に何ら限定されるものではなく、本発明の要旨を逸脱しない範囲において、種々なる態様で実施できることは勿論である。例えば、上記実施の形態のプリント配線基板２０が備える抵抗分圧回路の分割数は８分割であるが、抵抗を増やすことで１６分割などにも対応できること言うまでもなく、上記実施の形態に限定されない。
【図面の簡単な説明】
【００３４】
【図１】本発明の実施形態に係る配線基板を備えた表示装置の概略構成を示した分解斜視図である。
【図２】本発明の実施形態に係る配線基板が適用される表示パネルの概略構成を示した図である。
【図３】本発明の実施形態に係る配線基板と表示パネル等との接続の形態を示した図である。
【図４】本発明の実施形態に係る配線基板が備える回路の概略構成を示した図である。
【図５】図４の変形例を示した図である。
【図６】本発明の実施形態に係る表示装置が組み込まれたテレビ受信機の構成を模式的に示した分解斜視図である。
【図７】従来用いられてきた液晶表示パネルとコントロール基板の接続の形態を示した図である。
【図８】図７に示した接続の回路構成を示した図である。
【符号の説明】
【００３５】
１  液晶表示装置
２  ベゼル
３  表示パネル
４  照明装置
５  フレーム
６  光学シート類
７  ランプ
８  反射板
９  シャーシ
１０  サイドホルダー
１１  インバータ基板
１２  ランプコネクタ
１４  コントロール基板
２０  プリント配線基板
２１  ケーブル
２２  抵抗分圧回路
Ｒ１〜Ｒ８  抵抗
２３ａ〜２３ｈ  バッファアンプ
３２  アレイ基板
３３  対向基板
３４  画素電極
３５  薄膜トランジスタ
３６  補助容量
３７  液晶
３８  ソースドライバＩＣ（画素信号線駆動回路）
３９  ゲートドライバＩＣ（走査線駆動回路）
４０  走査方向
Ｇ  走査線
Ｓ  画素信号線
【図１】
2008145526.tif 000003
【図２】
2008145526.tif 000004
【図３】
2008145526.tif 000005
【図４】
2008145526.tif 000006
【図５】
2008145526.tif 000007
【図６】
2008145526.tif 000008
【図７】
2008145526.tif 000009
【図８】
2008145526.tif 000010